(57)【要約】【課題】携帯端末装置から情報処理装置を利用し容易に宅内の電気機器を制御する。【解決手段】制御装置６は携帯端末装置７からの選択により、電気機器５の制御内容をＰＣ１０から取得し、携帯端末装置７に電気機器５の制御内容を表示し選択させて電気機器５を制御する。【選択図】　図１
2004112075.tif 000002
【特許請求の範囲】
【請求項１】
電気機器に関する情報を記憶した情報処理装置と、前記情報処理装置との通信や前記電気機器を制御する制御装置と、ネットワーク網で接続され前記制御装置との接続手順のプログラムを記憶しこの手順によって前記制御装置に接続する携帯端末装置とからなり、前記制御装置は前記携帯端末装置からの選択により、前記電気機器の制御内容を前記情報処理装置から取得し、前記携帯端末装置に前記電気機器の制御内容を表示し選択させて前記電気機器を制御する遠隔制御システム。
【請求項２】
制御装置は携帯端末装置からの選択により、前記携帯端末装置と情報処理装置間で通信を行わせ、前記情報処理装置は前記携帯端末装置からの選択により、前記携帯端末装置に前記電気機器の制御内容を表示し選択させて前記電気機器を制御する請求項１記載の遠隔制御システム。
【請求項３】
情報処理装置はリモートから起動される機能であるウェイクアップオンラン手段を有し、制御装置は起動信号を前記情報処理装置に送信することにより、携帯端末装置から前記情報処理装置を起動する請求項１または２記載の遠隔制御システム。
【請求項４】
制御装置と通信を行い情報処理装置への電源の供給制御を行う電源制御装置を有し、前記制御装置は前記電源制御装置に電源投入の信号を送信することにより、携帯端末装置から前記電源制御装置を用いて前記情報処理装置への電源の供給制御を行う請求項１または２記載の遠隔制御システム。
【請求項５】
携帯端末装置からの選択により、電気機器の制御内容を情報処理装置から取得し、前記携帯端末装置に前記電気機器の制御内容を表示し選択させて、前記電気機器を制御する請求項１または３または４記載の遠隔制御システムを構成する制御装置。
【請求項６】
携帯端末装置と情報処理装置間で通信を行わせ、携帯端末装置に情報処理装置に記憶された電気機器の制御内容を表示し選択させ、前記情報処理装置が前記制御装置を介して前記電気機器を制御する請求項２から４記載の遠隔制御システムを構成する制御装置。
【請求項７】
請求項１〜４のいずれか１項記載の遠隔制御システムの機能の全てもしくは一部をコンピュータに実現させるためのプログラム。
【発明の詳細な説明】
【０００１】
【発明の属する技術分野】
本発明は、室内に設置された電気機器に外部から手軽にアクセスし制御できるようにした遠隔制御システムまたは制御装置に関するものである。
【０００２】
【従来の技術】
従来、この種の遠隔制御システムとしては、以下のようなものがある（特許文献１参照）。図１１は、前記公報に記載された従来の遠隔制御システムを示すものである。
【０００３】
図１１において、１はＰＨＳ無線電話機、２はネットワーク網、３はＰＨＳ無線電話機、４は制御器、５は電気機器である。使用者が電気機器５を制御する場合、ＰＨＳ無線電話機１のプッシュボタンを操作して、ネットワーク網２を介して自宅のＰＨＳ無線電話機３に電話をかけると、ＰＨＳ無線電話機１とＰＨＳ無線電話機３が双方向通信状態となる。制御器４はこの電話を受け付け、通信データ入力待ち状態となる。ここで例えばＰＨＳ無線電話機１から室内機器５の電源を「オン」にするための制御データ「ＩＤ０１ｓオン」を送信すると、制御器４がこの通信データの内容を解析し、電気機器５の電源を「オン」に制御する。
【０００４】
【特許文献１】
特開平１１−２３４９２６号公報
【０００５】
【発明が解決しようとする課題】
しかしながら、前記従来の構成では、使用者が電気機器を制御する場合、ＰＨＳ無線電話機のプッシュボタンを操作して制御データを送信しなければならないので、使用者は電気機器の制御内容に対応する制御データを覚えておく必要がある、また手で入力するため入力間違い等が発生しやすく非常に使い難い、また制御する電気機器が増えた場合、電気機器の制御内容の変更や追加を行うことが困難であるという課題を有していた。
【０００６】
本発明は、前記従来の課題を解決するもので、電気機器に外部から手軽にアクセスできかつ制御する電気機器が増えても容易に電気機器の制御内容の追加や変更ができる使い勝手に優れた遠隔制御システムまたは制御装置を提供することを目的としている。
【０００７】
【課題を解決するための手段】
前記従来の課題を解決するために、本発明の遠隔制御システムまたは制御装置は、電気機器に関する情報を保存した情報処理装置と、前記情報処理装置との通信や前記電気機器を制御する制御装置と、ネットワーク網で接続され前記制御装置との接続手順のプログラムを記憶しこの手順によって前記制御装置に接続する携帯端末装置とからなる。
【０００８】
これによって前記制御装置は前記携帯端末装置からの選択により、前記電気機器の制御内容を前記情報処理装置から取得し、前記携帯端末装置に前記電気機器の制御内容を表示し選択させて前記電気機器を制御する。
【０００９】
【発明の実施の形態】
請求項１に記載の発明は、電気機器に関する情報を保存した情報処理装置と、前記情報処理装置との通信や前記電気機器を制御する制御装置と、ネットワーク網で接続され前記制御装置との接続手順のプログラムを記憶しこの手順によって前記制御装置に接続する携帯端末装置とからなり、前記制御装置は前記携帯端末装置からの選択により、前記電気機器の制御内容を前記情報処理装置から取得し、前記携帯端末装置に前記電気機器の制御内容を表示し選択させて前記電気機器を制御することとなり、使用者が電気機器を制御する場合、無線電話機等のプッシュボタンを操作して制御データを送信する必要がなく、また携帯端末装置の画面等の表示手段から制御したい電気機器の制御内容を選択できるため、電気機器の制御内容に対応する制御データを覚えておく必要がない。
【００１０】
また手で入力する必要がないため入力間違い等が発生せず、容易に電気機器を制御できる。また制御装置には電気機器の制御内容や電気機器の情報（操作履歴、故障履歴および使用方法等）を常時保存しておく必要がなく、使用者から携帯端末装置を通して要求された情報のみ取得できるため、制御装置のメモリ（ＲＯＭやＲＡＭ）の容量を小さくできコストの低減を図ることができ、かつ容易に情報処理装置上で電気機器の制御内容の追加や変更を行うことができ使い勝手の向上を図ることができる。
【００１１】
請求項２に記載の発明は、制御装置は携帯端末装置からの選択により、前記携帯端末装置と情報処理装置間で通信を行わせ、携帯端末装置に情報処理装置に記憶された前記電気機器の制御内容を表示し選択させて、前記情報処理装置が前記制御装置を介して前記電気機器を制御することとなり、使用者が電気機器を制御する場合、無線電話機等のプッシュボタンを操作して制御データを送信する必要がなく、また携帯端末装置の画面等の表示手段から制御したい電気機器の制御内容を選択できるため、電気機器の制御内容に対応する制御データを覚えておく必要がない。
【００１２】
また手で入力する必要がないため入力間違い等が発生せず、容易に電気機器を制御できる。また制御装置には電気機器の制御内容や電気機器の情報（操作履歴、故障履歴および使用方法等）を常駐させておく必要がない。またＳＳＬ等の暗号化通信を行う場合でもすでに情報処理装置に組み込まれている機能を利用することができるため制御装置のメモリ（ＲＯＭやＲＡＭ）の容量を小さくしたり、処理能力の低いＣＰＵを用いることができコストの低減を図ることができる。かつ情報処理装置上で容易に電気機器の制御内容の追加や変更を行うことができ使い勝手の向上を図ることができる。
【００１３】
請求項３に記載の発明は、情報処理装置はリモートから起動される機能であるウェイクアップオンラン手段を有し、制御装置は起動信号を前記情報処理装置に送信することにより、携帯端末装置から前記情報処理装置を起動し電気機器を制御することができる。
【００１４】
請求項４に記載の発明は、制御装置と無線等で通信を行い情報処理装置への電源の供給制御を行う電源制御装置を有し、前記制御装置は前記電源制御装置に電源投入の信号を送信することにより、携帯端末装置から前記情報処理装置への電源の供給制御を行い、電気機器を制御することができる。
【００１５】
請求項５に記載の発明は、携帯端末装置からの選択により、電気機器の制御内容を情報処理装置から取得し、前記携帯端末装置に前記電気機器の制御内容を表示し選択させて、前記電気機器を制御することにより、使用者が電気機器を制御する場合、無線電話機等のプッシュボタンを操作して制御データを送信する必要がなく、また携帯端末装置の画面等の表示手段から制御したい電気機器の制御内容を選択できるため、電気機器の制御内容に対応する制御データを覚えておく必要がない。
【００１６】
また手で入力する必要がないため入力間違い等が発生せず、容易に電気機器を制御できる。また制御装置には電気機器の制御内容や電気機器の情報（操作履歴、故障履歴および使用方法等）を常時保存しておく必要がなく、使用者から携帯端末装置を通して要求された情報のみ取得できるため、制御装置のメモリ（ＲＯＭやＲＡＭ）の容量を小さくできコストの低減を図ることができる。かつ情報処理装置上で容易に電気機器の制御内容の追加や変更ができ使い勝手の向上を図ることができる。
【００１７】
請求項６に記載の発明は、携帯端末装置と情報処理装置間で通信を行わせ、携帯端末装置に情報処理装置に記憶された電気機器の制御内容を表示し選択させ、前記情報処理装置が前記制御装置を介して前記電気機器を制御することにより、使用者が電気機器を制御する場合、無線電話機等のプッシュボタンを操作して制御データを送信する必要がなく、また携帯端末装置の画面等の表示手段から制御したい電気機器の制御内容を選択できるため、電気機器の制御内容に対応する制御データを覚えておく必要がない。
【００１８】
また手で入力する必要がないため入力間違い等が発生せず、容易に電気機器を制御できる。また制御装置には電気機器の制御内容や電気機器の情報（操作履歴、故障履歴および使用方法等）を常時保存しておく必要がない、またＳＳＬ等の暗号化通信を行う場合でもすでに情報処理装置に組み込まれている機能を利用することができるため制御装置のメモリ（ＲＯＭやＲＡＭ）の容量を小さくできコストの低減を図ることができ、かつ情報処理装置上で容易に電気機器の制御内容の追加や変更ができ使い勝手の向上を図ることができる。
【００１９】
請求項７にかかるプログラムは、請求項１〜４のいずれか１項記載の遠隔制御システムの機能の全てもしくは一部をコンピュータに実行させるためのプログラムである。そして、プログラムであるのでパーソナルコンピュータやサーバーを用いて本発明の遠隔制御システムの一部あるいは全てを容易に実現することができる。また記録媒体に記録したり通信回線を用いてプログラムを配信したりすることでプログラムの配布やインストール作業が簡単にできる。
【００２０】
【実施例】
以下本発明の実施例について、図面を参照にしながら説明する。
【００２１】
（実施例１）
図１は、本発明の第１の実施例における遠隔制御システム図を示すもである。
【００２２】
図１において、５は電気機器、６は制御装置、７は携帯端末装置、８はアダプタ装置、９はＩＰ網、１０はパーソナルコンピューター（以下ＰＣと呼ぶ）である。制御装置６および携帯端末装置７はそれぞれＩＰ網に接続できる機能を有しており、ＩＰアドレスを用いて通信を行っている。また同様に制御装置６とＰＣ１０もＩＰアドレスを用いて互いに通信できる。電気機器５は制御装置６からの制御電文を受信することにより制御される。また携帯端末装置７とアダプタ装置８は着脱可能な構成となっている。
【００２３】
図２は制御装置６のブロック、図３は携帯端末装置７およびアダプタ装置８のブロック図を示すものである。
【００２４】
図２において、１１は携帯端末装置７とＩＰ網９を介してＩＰアドレスを用い通信を行うＩＰ通信手段Ａ、１２は電気機器を制御するための制御内容を記憶した制御内容記憶手段Ａ、１３はＩＰ通信手段Ａ１１で受信した電文を制御内容記憶手段Ａ１２に記憶された内容に基づき解析する電文解析手段Ａ、１４は電気機器５と通信を行う通信手段Ａ、１５は前記各手段を制御する制御手段Ａである。
【００２５】
図３における携帯端末装置７において、１６は制御装置６とＩＰ網９を介してＩＰアドレスを用いて制御装置６と通信を行うＩＰ通信手段Ｂ、１７は制御内容記憶手段Ａ１２に記憶された内容を表示する表示手段Ｂ、１８は表示手段Ｂ１７に表示された内容を選択する選択手段Ｂ、１９はアダプタ装置８と通信する通信手段Ｂ、２０は前記各手段を制御する制御手段Ｂである。アダプタ装置８において、２１は制御装置６への接続の手順プログラムを記憶する接続手順記憶手段Ｃ、２２は携帯端末装置７と通信を行う通信手段Ｃ、２３は前記各手段を制御する制御手段Ｃである。
【００２６】
図４は実施例の動作を示す通信シーケンスである。以上のように構成された遠隔制御システムについて、以下その動作、作用を説明する。まずアダプタ装置８から携帯端末装置７、ＩＰ網９および制御装置６を介して電気機器５を制御する方法について説明する。アダプタ装置８が携帯端末装置７に接続されると、アダプタ装置８における制御手段Ｃ２３が通信手段Ｃ２２を用いて携帯端末装置７に接続されたこと検出する。そして接続手順記憶手段Ｃ２１に記憶された接続の手順プログラムを携帯端末装置７に出力する。ここでは、接続先の制御装置６のＩＰアドレス（ＵＲＬ）と制御装置６から取得した情報を表示する旨の信号を出力する（ｓ１）。携帯端末装置７における制御手段Ｂ２０は通信手段Ｂ１９を介してこの信号を受信すると、この信号に基づきＩＰ網９を介して制御装置６に接続要求を送信する（ｓ２）。
【００２７】
制御装置６における制御手段Ａ（図２中１５）はＩＰアドレス通信手段Ａ（１１）を介して送信先ＩＰアドレスが自装置のＩＰアドレスと一致した場合はこの接続要求の受信を行い、ＩＰアドレス通信手段Ａ（１１）を用いてＩＰ網９を介して制御内容記憶手段Ａ（１２）に記憶されている、例えば、ＨＴＭＬ言語で記述された電気機器５の制御できる内容を携帯端末装置７に返信する（ｓ３）。
【００２８】
携帯端末装置７は制御手段Ｂ（２０）の制御により通信手段Ｂ（１９）を介してこの返信を受信し、制御手段Ｂ（２０）が表示手段Ｂ（１７）を用いてＨＴＭＬ形式の言語を表示できるブラウザ等を使用して表示する（ｓ４）。そして使用者は選択手段Ｂ２０を用いてこの表示手段Ｂ１７に表示された電気機器５の制御内容から制御したい項目を選択する（ｓ５）。そして制御手段Ｂ２０はこの選択された内容を前述と同様に制御装置６に送信する（ｓ６）。
【００２９】
制御装置６における制御手段Ａ（１５）はこの電文の内容を電文解析手段Ａ（１３）と制御内容記憶手段Ａ（１２）とを用いて解析、制御内容を解析する（ｓ７）。そして通信手段Ａ（１４）を用いてこの制御内容を含んだ制御電文を無線等の通信で電気機器５に対して送信することにより電気機器５を制御する（ｓ８）。
【００３０】
従って、使用者が電気機器５を制御する場合、無線電話機等のプッシュボタンを操作して制御データを送信する必要がなく、また携帯端末装置７の画面等の表示手段Ｂ（１７）から制御した電気機器５の制御内容を選択できるため、電気機器５の制御内容に対応する制御データを覚えておく必要がない。また手で入力する必要がないため入力間違い等が発生せず、容易に電気機器５を制御できる。
【００３１】
なお、本実施例では、携帯端末装置７から制御装置６を用いて電気機器５を制御する場合について説明したが、電気機器５の状態を制御装置６から携帯端末装置７に送信することも同様に実施することができる。
【００３２】
なお、本実施例では携帯端末装置７がすでにＩＰ網９に接続されているとして説明したが、まだＩＰ網９に接続されておらずダイアルアップを用いて接続する場合は、アダプタ装置８から携帯端末装置７にダイアルＮｏ、ユーザーＩＤおよびパスワードを送出することにより自動的に携帯端末装置７がＩＰ網９に接続するようにすることもできる。また、携帯端末装置７にあらかじめダイアルＮｏ、ユーザーＩＤおよびパスワードが記憶されている場合は、アダプタ装置８は携帯端末装置７に対してそれらを用いてＩＰ網９に接続する旨の信号を送出することにより携帯端末装置７がＩＰ網９に接続するようにすることもできる。
【００３３】
また、図５において２４は操作手段Ｃである。図５に示すように、アダプタ装置８に操作手段Ｃ（２４）をもうけることにより、制御手段Ｃ（２３）が操作手段Ｃ（２４）からの信号を受信することで図４におけるｓ１で示す動作を開始するようにすることもできる。このことにより操作手段Ｃ２４を操作したときのみ制御装置６に接続されるので、使用者の使い方に合わせて任意の時間に制御装置６に接続することができる。
【００３４】
また、図６の通信シーケンスに示すように、アダプタ装置８における操作手段Ｃ（２４）により制御内容を選択し（ｓ９）し、制御手段Ｃ（２３）は通信手段Ｃ（２２）を用いて図４の（ｓ１）で示した制御装置６のＵＲＬ（ＩＰアドレス）に接続する旨の信号および（ｓ６）で示した電気機器５を制御する内容を含んだ信号の両方を携帯端末装置７に送信する（ｓ１０）。そして、その情報が携帯端末装置７からＩＰ網９を介して制御装置６に送信され（ｓ１１）、前述と同様に制御装置６は電気機器５を制御する（ｓ７，ｓ８）。このことにより、携帯端末装置７を操作することなく操作手段Ｃ（２４）を操作するだけで電気機器５を制御できるので、電気機器５を制御するためのキー操作等の必要がなくなり、簡単に電気機器５を制御することができる。
【００３５】
また、操作手段Ｃ（２４）に携帯端末装置７やアダプタ装置８の電源のＯＮ／ＯＦＦ、携帯端末装置７から制御装置６への接続の禁止／解除、携帯端末装置７やアダプタ装置８の低消費電力モードへの移行／解除等の機能を持たせることができる。なお、先に述べた制御内容としては、電気機器５への状態設定（電源のＯＮ／ＯＦＦ等）、現在の電気機器５の状態取得（エアコンなら、設定温度等）、また同様に制御装置６への状態設定や電気機器５の制御履歴が考えられる。
【００３６】
（実施例２）
図７は、本発明の第２の実施例における遠隔制御システムにおける制御装置６のブロック図を示し、図８は携帯端末装置７およびアダプタ装置８のブロック図を示しすものである。実施例１と同一符号は同一機能を有し、実施例１と異なるところは、制御装置６およびアダプタ装置８にそれぞれ認証のために必要な認証番号を記憶する認証手段Ａ（２５）および認証手段Ｃ（２６）を設けた点である。
【００３７】
図９は実施例の動作を示す通信シーケンスである。
【００３８】
以上のように構成された遠隔制御システムについて、以下その動作、作用を説明する。図９において（ｓ１）、（ｓ２）は図４における実施例１と同様の動作であるが、（ｓ１２）の部分が異なる。つまり制御装置６は携帯端末装置７からの接続要求を受信すると、制御装置６における制御手段Ａ１５はＩＰアドレス通信手段Ａ１１を介して送信先ＩＰアドレスが自装置のＩＰアドレスと一致した場合はこの接続要求の受信を行い、まずＩＰアドレス通信手段Ａ１１を用いてＩＰ網９を介して認証番号要求電文を携帯端末装置７に返信する（ｓ１２）。そしてこの認証番号要求電文はアダプタ装置８に送信され、アダプタ装置８はこの認証番号要求電文を制御手段Ｃ（２３）の制御により通信手段Ｃ（２２）を介して受信する（ｓ１３）。
【００３９】
そしてこの電文に対すして認証番号を含んだ応答電文を携帯端末装置７およびＩＰ網９を介して制御装置６に対して送信する（ｓ１４、ｓ１５）。制御装置６における制御手段Ａ（１５）は認証手段Ａ（２５）を用いて、この認証番号があらかじめ認証手段Ａ（２５）に記憶されている認証番号と一致するか否かを判定し、一致した場合は以降実施例１と同様の動作をする。従ってインターネット等のＩＰ網を用いる場合でもセキュリティを確保し電気機器５を制御することができる。
【００４０】
なお、本実施例では、（ｓ１４）でアダプタ装置８が認証番号を送信するとしたが、図９における（ｓ１）で認証番号を携帯端末装置７に送信しておき、（ｓ１４）は携帯端末装置７が行うようにすることもできる。また、（ｓ１）でＩＰアドレスと一緒に認証番号を送信するようにすることもできる。
【００４１】
なお、本実施例では、認証番号を用いて動作を説明したが、認証のための認証手順をあらかじめ決めておき、この手順を踏んだときのみ制御装置６が（ｓ３）の動作に移行できるようにすることもできる。
【００４２】
なお、認証手段Ａ（２５）および認証手段Ｃ（２６）に記憶しておく、認証番号または認証手順を記憶させる方法として、あらかじめパソコンや設定機などから設定しておく方法が考えられる。
【００４３】
また、認証手段Ａ（２５）および認証手段Ｃ（２６）に記憶しておく、認証番号または認証手順を記憶させる方法として、アダプタ装置８はＩＰ網９を介さず制御装置６と通信可能な構成、例えば制御装置６と着脱可能な構成とし、アダプタ装置８が制御装置６に接続されたときに、アダプタ装置８における制御手段Ｃ２３は制御装置６に接続されたことを検出し、通信手段Ｃ（２２）を用いて認証手段Ｃ（２６）に記憶された認証番号や認証手順を自動的に制御装置６に送信することもできる。逆に制御装置６からアダプタ装置８に対して認証番号や認証手順を自動的に送信するようにすることもできる。またアダプタ装置８や制御装置６が乱数等を用いて自装置内で認証番号や認証手順を作りだすようにすることもできる。
【００４４】
従って、認証番号または認証手順を忘れたり認証番号または認証手順を間違えることにより、電気機器５を制御できなくなることがなくなり、使い勝手の向上を図ることができ、かつ認証番号または認証手順を頻繁に容易に変更することができ、桁数が多く複雑な認証番号を扱うことも容易となるので、セキュリティを確保し電気機器５を制御することができる。
【００４５】
また、認証手段Ｃ（２６）および認証手段Ａ（２５）は認証番号または認証手順を複数記憶するとすることにより、通信毎に認証手段Ｃ（２６）および認証手段Ａ（２５）に記憶された認証番号または認証手順を切り替えるように構成することもでき、セキュリティをより向上させ電気機器５を制御することもできる。
【００４６】
なお、認証番号としてはアダプタ装置８、制御装置６、携帯端末装置７および電気機器５が有する製造番号や携帯端末装置７が有する電話番号、クレジットカード番号、ガス、電気および水道検針の際に用いられるお客様番号を用いることが考えられる。
【００４７】
（実施例３）
図７は、本発明の第３の実施例における遠隔制御システムにおける制御装置６のブロック図を示し、図８は携帯端末装置７およびアダプタ装置８のブロック図を示しすものである。実施例１と同一符号は同一機能を有し、実施例１と異なるところは、制御装置６およびアダプタ装置８にそれぞれ通信データを暗号化するために必要な暗号番号を記憶した暗号手段Ａ（２７）および暗号手段Ｃ（２８）を設けた点である。
【００４８】
以上のように構成された遠隔制御システムについて、以下その動作、作用を説明する。実施例１における図４の（ｓ１）において、アダプタ装置８における制御手段Ｃ（２３）が通信手段Ｃ（２２）を用いて接続手順記憶手段Ｃ（２１）に記憶された接続の手順プログラムを携帯端末装置７に出力する際に、アダプタ装置８における制御手段Ｃ（２３）は、暗号手段Ｃ（２８）に記憶された通信データを暗号化するために必要な暗号番号も合わせて通信手段Ｃ（２２）を用いて携帯端末装置７に出力する。そして携帯端末装置７から制御装置６に送信される電文（ｓ２やｓ６など）は先の暗号番号に基づき暗号化される。
【００４９】
一方、制御手段Ａ（１５）は暗号手段Ａ（２７）に記憶された暗号番号に基づき受信した電文（ｓ２やｓ６など）を復号化する。よってセキュリティをより向上させた遠隔制御システムを構築することができる。
【００５０】
なお、本実施例では、暗号番号を用いて動作を説明したが、同様に暗号化や復号化のための暗号手順を送信するようすることもできる。
【００５１】
なお、本実施例では、携帯端末装置７が暗号化するとしたが、携帯端末装置７が暗号化するのと同様にアダプタ装置８が暗号化するようにすることもできる。
【００５２】
なお、本実施例では、携帯端末装置７から制御装置６への通信について説明したが、制御装置６から携帯端末装置７またはアダプタ装置８への通信についても同様に実施することができる。なお、暗号化の方法としてＳＳＬやＤＥＳ等が考えられる。
【００５３】
なお、暗号手段Ａ２７および暗号手段Ｃ２８に記憶しておく、暗号番号または暗号手順を記憶させる方法として、あらかじめパソコンや設定機などから設定しておく方法が考えられる。
【００５４】
また、暗号手段Ａ（２７）および暗号手段Ｃ（２８）に記憶しておく、暗号番号または暗号手順を記憶させる方法として、アダプタ装置８はＩＰ網９を介さず制御装置６と通信可能な構成、例えば制御装置６と着脱可能な構成とし、アダプタ装置８が制御装置６に接続されたときに、アダプタ装置８における制御手段Ｃ（２３）は制御装置６に接続されたことを検出し、通信手段Ｃ（２２）を用いて暗号手段Ｃ（２８）に記憶された暗号番号または暗号手順を自動的に制御装置６に送信することもできる。逆に制御装置６からアダプタ装置８に対して暗号番号または暗号手順を自動的に送信するようにすることもできる。またアダプタ装置８や制御装置６が乱数等を用いて自装置内で暗号番号または暗号手順を作りだすようにすることもできる。
【００５５】
従って、暗号番号または暗号手順を忘れたり暗号番号または暗号手順を間違えることにより、電気機器５を制御できなくなることがなくなり、使い勝手の向上を図ることができ、かつ暗号番号または暗号手順を頻繁に容易に変更することができるので、セキュリティをより向上させた遠隔制御システムを構築することができる。
【００５６】
また、暗号手段Ｃ（２８）および暗号手段Ａ（２７）は暗号番号または暗号手順を複数記憶するとすることにより、通信毎に暗号手段Ｃ（２８）および暗号手段Ａ（２７）に記憶された暗号番号または暗号手順を切り替えるように構成することもでき、セキュリティをより向上させさせた遠隔制御システムを構築することができる。
【００５７】
なお、暗号番号としてアダプタ装置８、制御装置６および携帯端末装置７が有する製造番号や携帯端末装置７が有する電話番号を用いることもできる。
【００５８】
また、図７において２９はセキュア通信手段Ａ、図８において３０はセキュア通信手段Ｃである。アダプタ装置８および制御装置６は、セキュア通信手段Ａおよびセキュア通信手段Ｃを用いて、アダプタ装置８と制御装置６間の通信、もしくはアダプタ装置８と電気機器５間の通信時に、先に述べたような認証や暗号化をエコーネット規格におけるセキュリティの仕様であるセキュア通信の規定に準拠して通信を行うようにすることもできる。従って前記セキュア通信手段Ｃを用いてアダプタ装置８と通信を行うので、セキュリティをより向上させ電気機器５を制御することができ、かつ通信仕様が世の中に公開されているので異なるメーカー間でも通信が可能となりシステムの拡張性が高まり、新たに仕様を作成する必要がないため開発コストの低減、開発期間の短縮を図ることができる。
【００５９】
（実施例４）
図７は、本発明の第４の実施例における遠隔制御システムにおける制御装置６のブロック図を示し、図８は携帯端末装置７およびアダプタ装置８のブロック図を示すもである。実施例１と同一符号は同一機能を有し、実施例１と異なるところは、制御装置６およびアダプタ装置８にそれぞれＩＰアドレスを用いて通信を行うためのポート番号を記憶したポート番号記憶手段Ａ（３１）およびポート番号記憶手段Ｃ（３２）を設けた点である。
【００６０】
以上のように構成された遠隔制御システムについて、以下その動作、作用を説明する。実施例１における図４の（ｓ１）において、アダプタ装置８における制御手段Ｃ（２３）が通信手段Ｃ（２２）を用いて接続手順記憶手段Ｃ（２１）に記憶された接続の手順プログラムを携帯端末装置７に出力する際に、アダプタ装置８における制御手段Ｃ（２３）は、ポート番号記憶手段Ｃ（３２）に記憶されたＩＰアドレスを用いて通信を行う（例えば、ＨＴＴＰ通信）ためのポート番号も通信手段Ｃ（２２）を用いて携帯端末装置７に送信する。そして携帯端末装置７から制御装置６に送信される電文（ｓ２やｓ６など）には先のポート番号も含まれている。
【００６１】
一方、制御手段Ａ（１５）もポート番号記憶手段Ａ（３１）に記憶されたポート番号を用いて通信を行う。ここで、ポート番号記憶手段Ａ（３１）およびポート番号記憶手段Ｃ（３２）に記憶しておくポート番号を記憶させる方法として、アダプタ装置８はＩＰ網９を介さず制御装置６と通信可能な構成、例えば制御装置６と着脱可能な構成とし、アダプタ装置８が制御装置６に接続されたときに、アダプタ装置８における制御手段Ｃ（２３）は制御装置６に接続されたことを検出し、通信手段Ｃ（２２）を用いてポート番号記憶手段Ｃ（３２）に記憶されたポート番号を自動的に制御装置６に送信することもできる。逆に制御装置６からアダプタ装置８に対してポート番号を自動的に送信するようにすることもできる。またアダプタ装置８や制御装置６が乱数等を用いて自装置内でポート番号を作りだすようにすることもできる。
【００６２】
従って、ポート番号を忘れたり、間違えることにより電気機器５を制御できなくなることがなくなり、使い勝手の向上を図ることができ、かつポート番号を容易に頻繁に変更することができるので、セキュリティをより向上させた遠隔制御システムを構築することができる。
【００６３】
また、ポート番号記憶手段Ｃ（３２）およびポート番号記憶手段Ａ（３１）はポート番号を複数記憶するとすることにより、通信毎にポート番号記憶手段Ｃ（３２）およびポート番号記憶手段Ａ（３１）に記憶されたポート番号を切り替えるように構成することができ、セキュリティをより向上させさせた遠隔制御システムを構築することができる。
【００６４】
なお、本実施例では、携帯端末装置７から制御装置６への通信について説明したが、制御装置６から携帯端末装置７またはアダプタ装置８への通信についても同様に実施することができる。
【００６５】
なお、ポート番号記憶手段Ａ（３１）およびポート番号記憶手段Ｃ（３２）に記憶しておくポート番号を記憶させる方法として、あらかじめパソコンや設定機などから設定しておく方法がある。
【００６６】
（実施例５）
図７は、本発明の第５の実施例における遠隔制御システムにおける制御装置６のブロック図を示し、図８は携帯端末装置７およびアダプタ装置８のブロック図を示しすもである。実施例１と同一符号は同一機能を有し、実施例１と異なるところは、制御装置６にメールを送信するメール送信手段Ａ（３３）と、アダプタ装置８にメールを受信するメール受信手段Ｃ（３４）を設けた点である。
【００６７】
以上のように構成された遠隔制御システムについて、以下その動作、作用を説明する。制御装置６における制御手段Ａ（１５）はＩＰ通信手段Ａ（１１）に記憶された制御装置６自身のＩＰアドレスを監視しており、ＩＰアドレスが変更された場合、変更されたＩＰアドレスをＩＰ通信手段Ａ（１１）から取得し、メール送信手段Ａ（３３）を用いて、宛先に携帯端末装置７のメールアドレスを入れ、また例えば、本文にＩＰアドレスを記入しあらかじめ登録されたメールサーバーに対してメールを送信する。ここでメールサーバーと認証が必要な場合は、ユーザー名やパスワードをメールサーバーに送信することにより認証を行ってからメールを送信する。
【００６８】
一方はアダプタ装置８における制御手段Ｃ（２３）はメール受信手段Ｃ（３４９からの信号に基づき通信手段Ｃ（２２）を介してアダプタ装置８を用いてメールサーバーにアクセスし、ユーザー名やパスワードをメールサーバーに送信することにより認証を行い、前述の制御装置６から送信されたメールを受信し、メールの本文から制御装置６のＩＰアドレス取得する。そして今後アダプタ装置８から制御装置６に電文を送信する場合はこの取得したＩＰアドレスを用いて通信する。
【００６９】
従って制御装置６は固定ＩＰアドレスを持っていないために、ＩＰアドレスが変更された場合でもアダプタ装置８から制御装置６を介して電気機器５を制御することができる遠隔制御システムを構築することができる。
【００７０】
なお、本実施例では、アダプタ装置８がメール受信手段Ｃ（３４）を有するとして説明したが、携帯端末装置７が有して制御装置６のＩＰアドレスを取得し記憶しておいたり、取得したＩＰアドレスをアダプタ装置８に送信するようにすることもできる。
【００７１】
また、本実施例では、制御装置６がアダプタ装置８に対してＩＰアドレスを通知する方法について説明したが、その逆に制御装置６はメールを受信するメール受信手段Ａ（３５）を有し、アダプタ装置８はメールを送信するメール送信手段Ｃ（３６）と、携帯端末装置７が有するＩＰアドレスを取得するＩＰアドレス取得手段Ｃ（３７）とを有し、前記メール送信手段Ｃ（３６）を用いて前記ＩＰアドレス取得手段Ｃ（３７９で取得したアダプタ装置８のＩＰアドレスをメールで制御装置６に対して送信するようにすることにより、携帯端末装置７は固定ＩＰアドレスを持っていないために、ＩＰアドレスが変更された場合でも制御装置６から携帯端末装置７またはアダプタ装置８に対して電気機器５の制御状態を報知するようにもできる。
【００７２】
なお、本実施例ではＩＰアドレスをメールで通知するとしたが、実施例１から４で用いた認証番号、認証手順、暗号番号、暗号手順およびポート番号をメールにて通知するように構成することもできる。
【００７３】
なお、先の実施例１から５において、携帯端末装置７における通信手段Ｂ（１９）とアダプタ装置８における通信手段Ｃ２２間の通信は有線による通信だけでなく、無線を用いて情報を交信するようにすることもできる。このことによりアダプタ装置の配置場所について使用上の制約を受け難いので、使い勝手の向上を図ることができる。
【００７４】
なお、先の実施例１から５において、アダプタ装置８から携帯端末装置７およびＩＰ網９を介して制御装置６に接続し電気機器５制御する方法について説明したが、図８のアダプタ装置８のブロック図に示すように、アダプタ装置８は携帯端末装置およびＩＰ網を介さず、無線通信手段Ｃ（３８）を用いて通信手段Ａ（１４）を介して制御装置６と無線で通信するように構成することもできるので、アダプタ装置８と制御装置６が無線で通信可能なエリアに設置されている場合は（例えば、互いに宅内に存在する場合）、ＩＰ網を介さないため電気機器５を制御するまでの時間を短縮できる。またこのような場合は、アダプタ装置８は制御装置６を介さず直接電気機器５を制御するようにすることもできる。さらに、さきの実施例２から４で説明した、認証番号、認証手順、暗号番号、暗号手順およびポート番号をアダプタ装置８と制御装置６間でこの無線通信を用いて交信するようにすることもできる。また無線通信のプロトコルとしてはエコーネット規格やＨＯＭＥＲＦ規格やＩＥＥＥ８０２規格等の標準規格を用いることが考えられる。
【００７５】
なお、先の実施例１から５では電気機器５の制御内容を制御内容記憶手段１２に記憶しているとして説明したが、図１に示すように制御装置６とＰＣ１０はハブ（あるいはルーターもしくは直接）を介してケーブルもしくは無線で接続されているため、制御内容記憶手段Ａ（１２）に記憶されている内容をＰＣに記憶しておき、制御装置６は携帯端末装置７からの選択により電気機器５の制御内容を必要に応じてＰＣから取得し、携帯端末装置７に送信するように構成することもできる。ここでいうＰＣとは、パーソナルコンピューターのことをいい、現在広く普及しているデスクトップパソコンやノートパソコンが考えられる。またパーソナルコンピューターに限定されるもではなく、パーソナルコンピューターと同等の機能を持つものであれば同様に実施することができる。例えばホームサーバーのような情報処理装置でもよい。
【００７６】
またＰＣ１０には前述のような制御装置６と通信を行うためアプリケーションソフトをインストールしておくことが考えられる。またＰＣ１０はウェイクアップオンラン手段を有したＬＡＮカード（もしくはＬＡＮボード）を有し、このＬＡＮカードを介して制御装置６と通信を行うように構成することにより、制御装置６における制御手段Ａ（１５）がＩＰ通信手段Ａ（１１）を用いてＰＣ１０を起動させるための起動信号（Ｍａｇｉｃ　Ｐａｃｋｅｔ信号等）を送信するように構成することにより、携帯端末７を用いて遠隔から節電状態であるＰＣ１０起動し、電気機器５を制御するようにすることもできる。
【００７７】
また図１に示すように、ＰＣ１０への電源の供給制御を行う電源制御装置４０を設けても同様に実施できる。電源制御装置４０は図１０に示すように、４１は各手段の制御を行う制御手段、４２は制御装置６と通信を行う通信手段Ｄ、４３は通信手段４２で受信した電文を解析する電文解析手段、４４は制御手段４１からの制御によりＡＣ電源の供給制御（ＯＮ／ＯＦＦ）を行う電源供給制御手段Ｄである。
【００７８】
先に述べた制御装置６が起動信号でウェイクアップオンラン手段を有したＰＣ１０を起動するのに代わりに、制御装置６における制御手段Ａ（１５）は通信手段Ａ（１４）を用いて起動信号を無線で電源制御装置４０に送信する。一方、電源制御装置４０はこの起動信号を制御手段Ｄ（４１）が通信手段Ｄ（４２）を制御することにより受信し、電文解析手段Ｄ（４３）を用いて受信した電文内容を解析する、解析した結果がＰＣ１０への電源供給をＯＮにする旨の内容なら電源供給制御手段Ｄ（４４９の制御を行いＰＣ１０へ電源を供給する。このことにより携帯端末７を用いて遠隔から電源ＯＦＦ状態であるＰＣ１０の電源をＯＮにし、電気機器５を制御するようにすることができる。
【００７９】
なお、先の実施例１から５において、携帯端末装置７は制御装置６から電気機器５を制御する内容を取得するとして説明したが、制御装置６を介してＰＣ１０と通信することにより、ＰＣ１０に保存にされた電気機器５の制御内容を選択し、ＰＣ１０が制御装置６を用いて電気機器５を制御するように構成することもできる。また携帯端末装置７が制御装置６に接続後に制御装置６を介さず直接ＰＣ１０と通信を行わせるようにすることもできる。これにより例えばＳＳＬやＤＥＣ等を用いてデータを暗号化して通信を行いたい場合、ＰＣ１０にあらかじめ組み込まれている（もしくはあらかじめインストールされている）ＳＳＬやＤＥＣの機能を利用することにより、これらの暗号化通信を容易に行うことができる。このことにより制御装置６のメモり容量を大きくしたり、処理能力が高いＣＰＵを用いる必要がなくコストの低減を図ることができる。
【００８０】
なお、先の実施例１から５における電気機器５としては、例えば、空調機器、照明、洗濯機、加湿器、給湯機、炊飯器、ビデオテープレコーダ、テレビ、セキュリティ機器、冷蔵庫、電気温水機、コーヒーポット、時計、洗濯機、植木用水やり機、ペット用餌やり機等が考えられ、携帯端末装置７としては携帯電話、ＰＨＳ、パソコン、ＰＤＡ等が考えられ、制御装置６としてはパソコン、ノンＰＣ端末と呼ばれる情報端末装置等が考えられる。
【００８１】
例えばこの情報端末装置の構成としては、ハードウエアは主に８ｂｉｔ程度のＣＰＵ、ＬＡＮコントローラＩＣおよび無線モジュールから構成され、ソフトウエアは前記の８ｂｉｔ程度のＣＰＵにＴＣＰ／ＩＰやＵＤＰ／ＩＰを実装し、アプリケーションとしてＨＴＴＰ、ＳＭＴＰ、ＰＯＰ、ＡＰＯＰを実装する構成が考えられる。
【００８２】
なお、先の実施例１から５において制御装置６はＩＰ網９に直接接続されるとして説明したが、ＡＤＳＬモデムや光ファイバーに接続されたルーターやパソコンに接続するようにしても同様に実施できる。また、携帯電話、ＰＨＳデータ通信用カード、無線ＬＡＮ等を用いて無線でＩＰ網９に接続するようにもできる。
【００８３】
なお、先の実施例１から５において述べたＩＰアドレスを用いた通信とは、例えば、ＯＳＩ基本参照モデルのデータリンク層にＥｔｈｅｒｎｅｔフレームやＩＥＥＥ８０２．３フレームを用い、ネットワーク層にＩＰアドレスを用いたＩＰ（Ｉｎｔｅｒｎｅｔ　Ｐｒｏｔｏｃｏｌ）が考えられ、ネットワーク層の上位層はＴＣＰやＵＤＰ、アプリケーション層にはＨＴＴＰやＦＴＰやｔｅｌｎｅｔを用いることが考えられる。またアプリケーション層のプロトコルは独自に開発することもできる。
【００８４】
なお、先の実施例１から５において述べたＩＰ網としてはインターンネット網や専用線等のＩＰアドレスを用いて通信を行う通信ネットワーク網が考えられる。
【００８５】
なお、先の実施例１から５では、制御装置６は通信手段Ａ１４を用いて電気機器５に対して無線で制御電文を送信するとしたが、このときの制御電文のフォーマットや通信手順をエコーネット規格やＨＯＭＥＲＦ規格やＩＥＥＥ８０２規格等の標準規格に準拠することにより異なるメーカーの電気機器を使用できるようになり拡張性の高いシステムを構築できる。また新たに制御電文のフォーマットや通信手順を決めなくて良いので開発期間の短縮や開発コストの低減を図ることができる。また無線を使用せず電灯線や電話線やＬＡＮケーブル等のツイストペアケーブルや同軸ケーブルを用いて有線で送信することもできる。
【００８６】
なお、先の実施例１から５においては携帯端末装置７とアダプタ装置８を別個にして説明したが、アダプタ装置８の機能を携帯端末装置７に含めるように構成することもできる。
【００８７】
【発明の効果】
以上のように、本発明によれば、制御装置は携帯端末装置からの選択により、電気機器の制御内容を情報処理装置から取得し、前記携帯端末装置に前記電気機器の制御内容を表示し選択させて前記電気機器を制御することとなり、使用者が電気機器を制御する場合、無線電話機等のプッシュボタンを操作して制御データを送信する必要がなく、また携帯端末装置の画面等の表示手段から制御したい電気機器の制御内容を選択できるため、電気機器の制御内容に対応する制御データを覚えておく必要がない、また手で入力する必要がないため入力間違い等が発生せず、容易に電気機器を制御できる。また制御装置には電気機器の制御内容や電気機器の情報（操作履歴、故障履歴および使用方法等）を常時保存しておく必要がなく、使用者から携帯端末装置を通して要求された情報のみ取得できるため、制御装置のメモリ（ＲＯＭやＲＡＭ）の容量を小さくできコストの低減を図ることができ、かつ容易に情報処理装置上で電気機器の制御内容の追加や変更を行うことができ使い勝手の向上を図ることができる。
【図面の簡単な説明】
【図１】本発明の実施例１における遠隔制御システム図
【図２】本発明の実施例１における制御装置のブロック図
【図３】本発明の実施例１における携帯端末装置およびアダプタ装置のブロック図
【図４】本発明の実施例１における通信シーケンス図
【図５】本発明の実施例１におけるアダプタ装置のブロック図
【図６】本発明の実施例１における通信シーケンス図
【図７】本発明の実施例２、３、４、５における制御装置のブロック図
【図８】本発明の実施例２、３、４、５におけるアダプタ装置のブロック図
【図９】本発明の実施例２における通信シーケンス図
【図１０】本発明の実施例１，２、３、４、５における電源制御装置のブロック図
【図１１】従来の遠隔制御システムの構成図
【符号の説明】
５　電気機器
６　制御装置
７　携帯端末装置
８　アダプタ装置
９　ＩＰ網
１０　ＰＣ（情報処理装置）
１１　ＩＰ通信手段Ａ
１２　制御内容記憶手段Ａ
１３　電文解析手段Ａ
１４　通信手段Ａ
１５　制御手段Ａ
１６　ＩＰ通信手段Ｂ
１７　表示手段Ｂ
１８　選択手段Ｂ
１９　通信手段Ｂ
２０　制御手段Ｂ
２１　接続手順記憶手段Ｃ
２２　通信手段Ｃ
２３　制御手段Ｃ
２４　操作手段Ｃ
２５　認証手段Ａ
２６　認証手段Ｃ
２７　暗号手段Ａ
２８　暗号手段Ｃ
２９　セキュア通信手段Ａ
３０　セキュア通信手段Ｃ
３１　ポート番号記憶手段Ａ
３２　ポート番号記憶手段Ｃ
３３　メール送信手段Ａ
３４　メール受信手段Ｃ
３５　メール受信手段Ａ
３６　メール送信手段Ｃ
３７　ＩＰアドレス取得手段Ｃ
３８　無線通信手段Ｃ
３９　制御内容記憶手段Ｃ
４０　電源制御装置
４１　制御装置Ｄ
４２　通信手段Ｄ
４３　電文解析手段４３
４４　電源供給制御手段
【図１】
2004112075.tif 000003
【図２】
2004112075.tif 000004
【図３】
2004112075.tif 000005
【図４】
2004112075.tif 000006
【図５】
2004112075.tif 000007
【図６】
2004112075.tif 000008
【図７】
2004112075.tif 000009
【図８】
2004112075.tif 000010
【図９】
2004112075.tif 000011
【図１０】
2004112075.tif 000012
【図１１】
2004112075.tif 000013